【手続補正書】
【提出日】平成19年10月16日(2007.10.16)
【手続補正１】
【補正対象書類名】明細書
【補正対象項目名】特許請求の範囲
【補正方法】変更
【補正の内容】
【特許請求の範囲】
【請求項１】  化学線に露出することによって総合属性を有する最終画像を形成するためのエレメントを作製する方法であって、
表面を有するサポートエレメントを設けるステップと、
第１の表面および第２の表面を有する第１の層を前記サポートエレメントの前記表面に貼り付けるステップであって、前記第１の層の第１の表面は前記サポートエレメントの前記表面に隣接し、前記第１の層の前記第２の表面は前記第１の表面に対向するステップと、
化学線にイメージ通りに露出する前に前記第１の層の前記第２の表面に隣接する第２の層を貼り付けるステップであって、前記第２の層は内面および外面を有し、前記第１の層は感光性配合物、および前記第１の層に主属性を与える機構を含み、前記機構は蛍光機構であり、前記第２の層は第１の着色剤を含むステップとを含み、
前記最終画像の前記総合属性は、前記第１の層の前記主属性によって規定されることを特徴とする方法。
【請求項２】  前記第１の層に主属性を与える前記機構は、蛍光物質であることを特徴とする請求項１に記載の方法。
【請求項３】  化学線に露出することによって総合属性を有する最終画像を形成するためのエレメントであって、
表面を有するサポートエレメントと、
第１の表面および第２の表面を有する第１の層であって、前記第１の層の前記第１の表面は前記サポートエレメントの前記表面に隣接し、前記第１の層の前記第２の表面は前記第１の表面に対向する第１の層と、
化学線にイメージ通りに露出する前に貼り付けられる前記第１の層の前記第２の表面に隣接する第２の層であって、前記第２の層は内面および外面を有し、前記第１の層は感光性配合物、および前記第１の層に主属性を与える機構を含み、前記機構は蛍光機構であり、前記第２の層は第１の着色剤を含み、前記最終画像の前記総合属性は前記第１の層の前記主属性によって規定されることを特徴とするエレメント。
【請求項４】  前記第１の層に主属性を与える前記機構は蛍光物質であることを特徴とする請求項３に記載のエレメント。
【手続補正２】
【補正対象書類名】明細書
【補正対象項目名】００７１
【補正方法】変更
【補正の内容】
【００７１】
層間の接着性は、ＴＥＭサンプルのなかでコーティング層同士の接着を維持するほど十分でなかったため、埋封エポキシに接着したメタリック層（シルバー）しか画像化するのを確認することができなかった。光学顕微鏡写真は、ＣＶカラー層がシルバー層に拡散しているが、完全にとけ込んでいないことを示している。分離したシルバー層、レフレックスブルーＣＶおよびシルバーの拡散層、ならびに純粋のレフレックスブルーＣＶのトップ層の存在が認められた。これは、ＴＥＭにおいて、トップ層が剥がれてシルバーのみの層が露出していることが観察されたことによって確認されている。
本発明は以下の実施の態様を含むものである。
１．化学線に露出することによって総合属性を有する最終画像を形成するためのエレメントを作製する方法であって、
表面を有するサポートエレメントを設けるステップと、
第１の表面および第２の表面を有する第１の層を前記サポートエレメントの前記表面に貼り付けるステップであって、前記第１の層の第１の表面は前記サポートエレメントの前記表面に隣接し、前記第１の層の前記第２の表面は前記第１の表面に対向するステップと、
化学線にイメージ通りに露出する前に前記第１の層の前記第２の表面に隣接する第２の層を貼り付けるステップであって、前記第２の層は内面および外面を有し、前記第１の層は感光性配合物、および前記第１の層に主属性を与える機構を含み、前記機構は蛍光機構、メタリック機構、不透明化機構、またはそれらの機構のうちの少なくとも２つの機構の組合せから構成されるグループから選択され、前記第２の層は第１の着色剤を含むステップとを含み、
前記最終画像の前記総合属性は、前記第１の層の前記主属性によって規定されることを特徴とする方法。
２．前記第１の層は第１の感光性配合物を含み、前記第２の層は第２の感光性配合物を含むことを特徴とする前記１に記載の方法。
３．前記第１の層に主属性を与える前記機構は金属物質、蛍光物質、不透明度増強物質、およびそれらの機構のうちの少なくとも２つの機構の組合せから構成されるグループから選択されることを特徴とする前記１に記載の方法。
４．前記第１の着色剤は、染料または顔料から構成されるグループから選択されることを特徴とする前記１に記載の方法。
５．前記第１の層は第２の着色剤を含むことを特徴とする前記４に記載の方法。
６．前記第２の着色剤の色は前記第１の着色剤の色と異なることを特徴とする前記５に記載の方法。
７．パターンを有する隔離トランスペアレンシを介して化学線に前記エレメントを、前記隔離トランスペアレンシを前記第２の層の前記外面に貼り付けた状態で十分な時間露出して、イメージ通りに露出された領域を前記第１の層の上に形成するステップと、前記隔離トランスペアレンシを除去し、前記エレメントを顕色させて、前記隔離トランスペアレンシの前記パターンと実質的に同じパターンを生成するステップとをさらに含むことを特徴とする前記１に記載の方法。
８．前記第１の層を接着剤で前記サポートエレメントに接着させ、前記接着剤と前記サポートエレメントの前記表面との間に剥離層を設置し、前記生成したパターンに転写エレメントを貼り付けるステップと、前記サポートエレメントを前記第１の層から分離して接着剤を露出させ、前記露出した接着剤を永久サポートに接着させるステップとをさらに含むことを特徴とする前記７に記載の方法。
９．前記１に記載の方法によって作成されることを特徴とするエレメント。
１０．化学線に露出することによって総合属性を有する最終画像を形成するためのエレメントであって、
表面を有するサポートエレメントと、
第１の表面および第２の表面を有する第１の層であって、前記第１の層の前記第１の表面は前記サポートエレメントの前記表面に隣接し、前記第１の層の前記第２の表面は前記第１の表面に対向する第１の層と、
化学線にイメージ通りに露出する前に貼り付けられる前記第１の層の前記第２の表面に隣接する第２の層であって、前記第２の層は内面および外面を有し、前記第１の層は感光性配合物、および前記第１の層に主属性を与える機構を含み、前記機構は蛍光機構、メタリック機構、不透明化機構、またはそれらの機構のうちの少なくとも２つの機構の組合せから構成されるグループから選択され、前記第２の層は第１の着色剤を含み、前記最終画像の前記総合属性は前記第１の層の前記主属性によって規定されることを特徴とするエレメント。
１１．パターンを有する隔離トランスペアレンシをさらに含み、前記隔離トランスペアレンシを前記第２の層の前記外面に貼り付けた状態で、前記隔離トランスペアレンシを介して前記エレメントを化学線に十分な時間露出することによって、イメージ通りに露出された領域を前記第１の層の上に形成して、前記隔離トランスペアレンシの前記パターンと実質的に同じパターンを前記エレメント上に形成させたことを特徴とする前記１０に記載のエレメント。
１２．前記第１の層は第１の感光性配合物を含み、前記第２の層は第２の感光性配合物を含むことを特徴とする前記１０に記載のエレメント。
１３．前記第１の層に主属性を与える前記機構は金属物質、蛍光物質、不透明度増強物質、およびそれらの機構のうちの少なくとも２つの機構の組合せから構成されるグループから選択されることを特徴とする前記１０に記載のエレメント。
１４．前記第１の着色剤は、染料または顔料から構成されるグループから選択されることを特徴とする前記１０に記載のエレメント。
１５．前記８に記載の方法によって作製されることを特徴とするエレメント。